(57)【要約】【課題】キャビネット本体に設けられた主鏡体と袖鏡体との相対的位置関係を簡単な操作で自由に選択決定できると共に、主鏡体と袖鏡体とを共同させて三面鏡として使用するとき、使用者の前後左右を効率よく映し出すことのできるミラーキャビネットを提供することにある。【解決手段】キャビネット本体１の前面に主鏡体２と袖鏡体３とをそれぞれの鏡面２１、表側鏡面３１を略面一に併設させて設けると共に、該袖鏡体３の主鏡体２側の縦縁を回動軸３２として該袖鏡体３を主鏡体２側に回動可能にしたミラーキャビネットにおいて、該回動軸３２を介して該袖鏡体３を回動自在に袖鏡支承体４に支承すると共に、該袖鏡支承体４の該主鏡体２と反対側の基回動軸４１を介して該袖鏡支承体４をキャビネット本体１に回動自在に支承したことを特徴とするミラーキャビネット。【選択図】図３
2009039338.tif 000002
【特許請求の範囲】
【請求項１】
キャビネット本体の前面に主鏡体と袖鏡体とをそれぞれの鏡面を略面一に併設させて設けると共に、該袖鏡体の主鏡体側の縦縁を回動軸として該袖鏡体を主鏡体側に回動可能に装着したミラーキャビネットにおいて、該回動軸を介して該袖鏡体を回動自在に袖鏡支承体に支承すると共に、該袖鏡支承体の該主鏡体と反対側の基回動軸を介して該袖鏡支承体をキャビネット本体に回動自在に支承したことを特徴とするミラーキャビネット。
【請求項２】
上記袖鏡支承体をキャビネット本体に形成した収納空間の開口部に設けた請求項１記載のミラーキャビネット。
【請求項３】
上記袖鏡支承体を枠体とし、該枠体からなる袖鏡支承体を貫通して上記収納空間の収納物を出し入れ自在とした請求項２記載のミラーキャビネット。
【請求項４】
上記袖鏡支承体に対する袖鏡体の回動軸を回動中心とする開き角度αを１８０度以上とした請求項１記載のミラーキャビネット。
【請求項５】
上記袖鏡体の表裏面に表側鏡面と裏側鏡面を形成した請求項４記載のミラーキャビネット。
【請求項６】
上記袖鏡体の回動軸を、複数の中間回動軸と折り畳み式に開閉自在に連結された複数の補助袖鏡支承体とを介して袖鏡支承体の主鏡体側の縦縁に連結した請求項１又は請求項４記載のミラーキャビネット。
【請求項７】
上記袖鏡体を主鏡体の両側部に設け、袖鏡体の少なくとも一つの鏡面を凸面鏡とした請求項１ないし請求項６のいずれか一項記載のミラーキャビネット。
【発明の詳細な説明】
【技術分野】
【０００１】
本願発明は洗面化粧台等に設けられるミラーキャビネットに係り、更に詳しくは、主鏡体と袖鏡体とがキャビネット本体の前面に略面一に装着されたミラーキャビネットにおいて、袖鏡体をキャビネット本体から前方に離した状態で主鏡体に向かって任意角度で回動できるようにしたミラーキャビネットに関するものである。
【背景技術】
【０００２】
従来、主鏡体と袖鏡体とがキャビネット本体の前面に略面一に装着されたミラーキャビネットにおいて、必要に応じて、主鏡体と袖鏡体とで２面鏡若しくは３面鏡を形成するため、袖鏡体の主鏡体側に位置した一側縦縁を回動軸とし、該主鏡体を主鏡体側に回動自在としたミラーキャビネットがあった。しかし、このミラーキャビネットは、袖鏡体の回動軸が主鏡体の鏡面と略面一に位置していたから、袖鏡体を回動して２面鏡若しくは３面鏡として使用するとき、当該使用者の横顔や横姿を袖鏡体に映し出そうとしたとき、顔や身体を主鏡体に充分近づけなければならなかった。
【０００３】
上記問題点を解決するために、従来、下記特許文献１に示されているようなミラーキャビネットがあった。該ミラーキャビネットは主鏡の両側に袖扉を設け該袖扉の内面側にサイドミラーの一端側を回動自在に設けたものであった。
【特許文献１】特開２００７−１３０３９０号公報（第１頁、図２）
【発明の開示】
【発明が解決しようとする課題】
【０００４】
しかしながら、上記従来例であるミラーキャビネットは、サイドミラーを使用するとき必ず袖扉を回動して開いた後に該サイドミラーを回動しなければならず、サイドミラーの使用操作が面倒であった。また、サイドミラーは袖扉の内面側になるようその一端側を袖扉に回動自在に設けられていたから、袖扉を開いた後のサイドミラーの開き角度が制限され、該サイドミラーを開きすぎると、主鏡とサイドミラーとで形成する三面鏡の機能が達成されない、という問題があった。
【０００５】
本願発明は、上記背景技術に鑑みてなしたものであり、その目的は、キャビネット本体に設けられた主鏡体と袖鏡体との相対的位置関係を簡単な操作で自由に選択決定できると共に、主鏡体と袖鏡体とを共同させて三面鏡として使用するとき、使用者の前後左右を効率よく映し出すことのできるミラーキャビネットを提供することにある。
【課題を解決するための手段】
【０００６】
上記課題を解決するために、本願請求項１に記載した発明のミラーキャビネットは、キャビネット本体の前面に主鏡体と袖鏡体とをそれぞれの鏡面を略面一に併設させて設けると共に、該袖鏡体の主鏡体側の縦縁を回動軸として該袖鏡体を主鏡体側に回動可能にしたミラーキャビネットにおいて、該回動軸を介して該袖鏡体を回動自在に袖鏡支承体に支承すると共に、該袖鏡支承体の該主鏡体と反対側の基回動軸を介して該袖鏡支承体をキャビネット本体に回動自在に支承したことを特徴とするものである。
【０００７】
本願請求項２記載の発明は、上記請求項１記載のミラーキャビネットにおいて、上記袖鏡支承体をキャビネット本体に形成した収納空間の開口部に設けたことを特徴としている。
【０００８】
本願請求項３記載の発明は、上記請求項２記載のミラーキャビネットにおいて、上記袖鏡支承体を枠体とし、該枠体からなる袖鏡支承体を貫通して上記収納空間の収納物を出し入れ自在としたことを特徴としている。
【０００９】
本願請求項４記載の発明は、上記請求項１記載のミラーキャビネットにおいて、上記袖鏡支承体に対する袖鏡体の回動軸を回動中心とする開き角度αを１８０度以上としたことを特徴としている。
【００１０】
本願請求項５記載の発明は、上記請求項４記載のミラーキャビネットにおいて、上記袖鏡体の表裏面に表側鏡面と裏側鏡面を形成したことを特徴としている。
【００１１】
本願請求項６記載の発明は、上記請求項１又は請求項４記載のミラーキャビネットにおいて、上記袖鏡体の回動軸を、複数の中間回動軸と折り畳み式に開閉自在に連結された複数の補助袖鏡支承体とを介して袖鏡支承体の主鏡体側の縦縁に連結したことを特徴としている。
【００１２】
本願請求項７記載の発明は、上記請求項１ないし請求項６記載のミラーキャビネットにおいて、上記袖鏡体を主鏡体の両側部に設け、袖鏡体の表側鏡面、裏側鏡面の少なくとも一つを凸面鏡としたことを特徴としている。
【発明の効果】
【００１３】
請求項１記載の発明のミラーキャビネットにおいては、袖鏡支承体の基回動軸を回動中心として該袖鏡支承体及び袖鏡体を主鏡体から離れる方向に回動した後、更に、袖鏡体をその回動軸を回動中心として主鏡体側に回動した場合（図３、図４）、袖鏡支承体の回動操作と袖鏡体自身の回動操作との二つの回動操作の影響で該袖鏡体は主鏡体から一層離れた位置に設定され、且つ、袖鏡体の表側鏡面は、主鏡体側に向くことになる。その結果、本願発明ミラーキャビネットを見ている人は、主鏡体の鏡面と袖鏡体の表側鏡面とで自分の正面、側面及び後面をも自分が気に入るように映し出すことができ、効率よくしかも満足した気持ちでお化粧や整髪等を行うことができる。
【００１４】
請求項２記載の発明のミラーキャビネットにおいては、特に、該収納空間の扉を袖鏡支承体及び袖鏡体で兼用することができると共に、該収納空間の空間部を袖鏡支承体の基回動軸の装着場所として利用でき該袖鏡支承体の装着作業が容易になると共に、回動操作を頻繁に行う該袖鏡支承体をキャビネット本体に安定的に取り付けることができる。
【００１５】
請求項３記載の発明のミラーキャビネットにおいては、特に、袖鏡支承体を枠体としたから、袖鏡体と袖鏡支承体とからなる回動体の重量が、該袖鏡支承体を板体で構成する場合に比較して、軽減され、従って、袖鏡支承体の基回動軸の支承重量負担が軽くなり長寿命となる。しかも、袖鏡体のみを主鏡体側に向かって回動した状態で当該ミラーキャビネットを使用する場合でも該収納空間内の必要な収納物を該枠体からなる袖鏡支承体を貫通して自由に出し入れできるので、効率よくお化粧や整髪を行うことができる。
【００１６】
請求項４記載の発明のミラーキャビネットにおいては、特に、上記袖鏡支承体に対する袖鏡体の開き角度αを０度（図２）から１８０度以上（図４）とすることができるから、主鏡体と袖鏡体とを略面一にして大きい一面鏡として使用する態様（図２）と、基回動軸を回動中心として袖鏡支承体を回動させ袖鏡体を主鏡体から離れる方向に位置させると共に、袖鏡体の該開き角度αを１８０度以内にして開き、主鏡体と袖鏡体とのいずれも前向きで且つ袖鏡体を主鏡体から一層前方の位置をずらして主鏡体と袖鏡体との相対的角度と前後方向の位置関係を自由に調整できる三面鏡として使用する態様（図３）、及び、図３に示した状態から袖鏡体を更に開いて、即ち、袖鏡体の該開き角度αを１８０度以上に開き、主鏡体の鏡面と袖鏡体の表側鏡面とが向かい合うように開き、変形三面鏡として使用する態様（図４）のいずれかの態様を必要に応じて簡単に選択することができる。
【００１７】
又、図４に示した変形三面鏡態様で使用するときは、本願発明ミラーキャビネットの使用者の側面や後面を当該主鏡体と袖鏡体との共同作用によって、当該使用者が希望する必要箇所を効率よく迅速に映しだすことができる。
【００１８】
請求項５記載のミラーキャビネットは、特に、上記袖鏡体の表裏面に表側鏡面と裏側鏡面を形成しているから、袖鏡体の該開き角度αを１８０度以上にすると共に、図５の右側の袖鏡体で示す如く、袖鏡体の開放端を主鏡体の側部に当接させると、袖鏡体の裏面側の鏡面が露出する。従って、主鏡体の両側に袖鏡体を設けた場合、主鏡体の鏡面と両側の袖鏡体の裏面の鏡面とで連続した三面鏡を形成することができので、ミラーキャビネットの使用態様の種類が増加する。
【００１９】
請求項６記載のミラーキャビネットは、特に、補助袖鏡支承体が袖鏡体を主鏡体から一層遠くまで離す役割をし、ミラーキャビネットの使用者の、後面を一層広く無理なく映し出すことができる。
【００２０】
請求項７記載のミラーキャビネットは、特に、袖鏡体を主鏡体の両側部に設け、袖鏡体の表側鏡面、裏側鏡面の少なくとも一つを凸面鏡とたから、主鏡体と両側の袖鏡体とが共同して、ミラーキャビネット使用者の左右両側面および後面を凸面鏡を活用した広い範囲で同時に映し出すことができ、お化粧や整髪をより効率よく、円滑に行うことができる。
【発明を実施するための最良の形態】
【００２１】
以下、本願発明の実施形態について図面を参照して、詳細に説明する。図１は本願発明にかかるミラーキャビネットの第一実施例を洗面化粧台に適用した状態を示す斜視図であり、ミラーキャビネットＡを公知の洗面化粧台Ｂの上面に設置したものである。図において、１はキャビネット本体、２はキャビネット本体１の前面中央に装着した主鏡体、２１は主鏡体２の鏡面、３は主鏡体の両側部に併設して装着した袖鏡体であり該袖鏡体３の横幅は主鏡体２の横幅の略半分になっている。３１は袖鏡体３の表側鏡面である。主鏡体２及び袖鏡体３を一枚の平面鏡として使用するときは、それぞれの鏡面２１、表側鏡面３１、３１は略面一になっている。図１には表れていないがそれぞれの袖鏡体３、３に対応するキャビネット本体１の前面には収納空間１１、１１が形成されている。５は洗面ボール、６はカラン、７は照明器具である。
【００２２】
図２は第一実施例に係るミラーキャビネットＡであって、袖鏡体３を閉じている状態を模式的に示した平面図、図３は第一実施例に係るミラーキャビネットＡであって、袖鏡支承体４および袖鏡体３を開いている状態を模式的に示した平面図、図４は第一実施例に係るミラーキャビネットＡであって、袖鏡体３を袖鏡支承体４に対して１８０度以上に開いている状態を模式的に示した平面図である。同図に示す如く、それぞれの収納空間１１、１１を開閉自在に閉じる袖鏡支承体４、４がキャビネット本体１に回動自在に設けられている。それぞれの袖鏡支承体４、４の基回動軸４１、４１は主鏡体２からより遠い方の縦縁に位置している。
【００２３】
それぞれの袖鏡支承体４、４の前面には袖鏡体３、３がその回動軸３２、３２を介して回動自在に設けられている。該回動軸３２は袖鏡体３の主鏡体２に近い方の縦縁に設けられている。従って、袖鏡支承体４は、キャビネット本体１に対して、基回動軸４１を回動中心として主鏡体２から遠のく方向に袖鏡体３とともに回動できるようになっており、且つ、袖鏡体３は、袖鏡支承体４に対して、その回動軸３２を回動中心として主鏡体２に近づく方向に回動できるようになっている。袖鏡体３の袖鏡支承体４に対する開き角度をαとする。
【００２４】
図２に示した状態は、袖鏡支承体４をキャビネット本体１に対して開かず、且つ、袖鏡体３を袖鏡支承体４に対して開かず即ち袖鏡体３の開き角度αを０度とし、ミラーキャビネットＡを主鏡体２と袖鏡体３、３とのそれぞれ鏡面２１、表側鏡面３１、３１を略面一にしてその全体を大きい一面鏡として使用する場合である。
【００２５】
図２に示した状態から回動軸３２を回動中心として袖鏡体３のみを主鏡体２側に回動した状態で該ミラーキャビネットＡを使用する場合がある（図示せず）。この使用状態では袖鏡支承体４が前面に露出するが、該袖鏡支承体４が収納空間１１の扉の代用をしているので、該収納空間内１１内の収納物（図示せず）は前面からは見えないので例え該収納物が乱雑に収納されている場合でも外観体裁を損なうことはない。
【００２６】
一方、上記袖鏡体３のみを回動した状態でミラーキャビネットＡを使用する場合、お化粧や整髪途中において、上記収納空間１１内の化粧品や整髪剤等の収納物を使用したくなる場合がある。このとき、袖鏡体３及び袖鏡支承体４を基回動軸４１を回動中心として同時に回動し収納空間１１内の必要収納物を取り出さなければならず、お化粧途中や整髪途中における当該操作はかなり面倒である。この面倒な操作を省略できるように、当該袖鏡支承体４を枠体で構成（図示せず）し、袖鏡支承体４を回動することなく、該枠体の貫通空間を介して収納空間１１内の収納物を出し入れできるようにしたミラーキャビネットも本願発明に含むものである。
【００２７】
図３に示した状態は、それぞれの袖鏡支承体４、４をキャビネット本体１に対してその基回動軸４１、４１を回動中心として主鏡体２から離れる方向に回動し、且つ、それぞれの袖鏡体３、３を袖鏡支承体４、４に対してその回動軸３２、３２を回動中心としてその開き角度αを１８０度以内で主鏡体２に近づく方向に回動し、且つ、それぞれの袖鏡体３、３をその表側鏡面３１、３１が前方に向いた「ハ」の字型に位置調整をし、いわゆる三面鏡として使用する場合である。この使用状態では、袖鏡体３の回動軸３２が主鏡体２の鏡面２１に対して前方に移動しているから、該三面鏡を一層立体的に使用でき、使用者が希望する袖鏡体位置に柔軟に対応でき、お化粧や整髪を効率よく短時間で行うことができる。
【００２８】
図４に示した状態は、袖鏡体３、３の表側鏡面３１、３１が主鏡体２の鏡面２１の方向に向くよう袖鏡支承体４を適宜回動し、且つ、それぞれの袖鏡体３、３の上記開き角度αを１８０度以上開き袖鏡体３、３を逆「ハ」の字型の位置関係で主鏡体２の鏡面２１に対向させた場合である。この状態では上記の如く、袖鏡体３の回動軸３２が主鏡体２の鏡面２１に対して前方に移動しているから、主鏡体２の鏡面２１と袖鏡体３の各表側鏡面３１、３１とで囲まれる空間を広くとることができ、該広い空間にミラーキャビネットＡの使用者の頭部を容易に介在させることができる。従って、本願発明ミラーキャビネットの使用者は、頭部を含む希望する上半身の前後左右の箇所を、当該主鏡体２と袖鏡体３との共同作用を活用して、効率よく迅速に映しだすことができる。
【００２９】
図５は本願発明にかかるミラーキャビネットの第二実施例であって、袖鏡体３を開いている状態を模式的に示した平面図である。このミラーキャビネットＡは、第一実施例のミラーキャビネットにおいて、上記袖鏡体３の表裏面のそれぞれに表側鏡面３１と裏側鏡面３３とを形成したものである。その使用状態の一例は図５に示した如く、袖鏡支承体４をキャビネット本体１に対してその基回動軸４１を回動中心として主鏡体２から離れる方向に約４５度回動し、且つ、袖鏡体３を袖鏡支承体４に対してその回動軸３２を回動中心としてその開き角度αを約２７０度とし、該袖鏡体３の自由端の縦縁を主鏡体２の該袖鏡体３側の縦縁近傍に当接させたものである。
【００３０】
この状態では図５に示す如く、袖鏡体３と袖鏡支承体４とはキャビネット本体１に対して三角山形状に突出し、且つ、袖鏡体３の裏側鏡面３３が主鏡体２側に露出する。袖鏡体３及び袖鏡支承体４で形成する上記三角山形状を主鏡体２の左右に形成すれば主鏡体２の鏡面２１と袖鏡体３、３の裏側鏡面３３、３３とで構成する連続した三面鏡が形成されミラーキャビネットの使用態様の種類が増加する。
【００３１】
図６は本願発明にかかるミラーキャビネットの第三実施例であって、同図において、右側の袖鏡体３の回動軸３２を、二つの中間回動軸４２と折り畳み式に開閉自在に連結された二つの補助袖鏡支承体４３とを介して袖鏡支承体４の主鏡体２側の縦縁に連結したものである。この中間回動軸４２及び補助袖鏡支承体４３
は偶数個使用される。この第三実施例では、特に、補助袖鏡支承体４３が袖鏡体３を主鏡体２から一層遠くまで離す役割をし、ミラーキャビネットＡの使用者の、特に、後面を一層広く無理なく映し出すことができる。
【００３２】
上記図示した実施例の如く、袖鏡体３及び袖鏡支承体４を主鏡体２の左右に設ける場合、袖鏡体３の表側鏡面３１、裏側鏡面３３の少なくとも一つを凸面鏡とし鏡に映し出す像を拡大した実施例（図示せず）も、本願発明の範囲である。
【図面の簡単な説明】
【００３３】
【図１】本願発明にかかるミラーキャビネットの第一実施例を洗面化粧台に適用した状態を示す斜視図。
【図２】第一実施例に係るミラーキャビネットであって、袖鏡体を閉じている状態を模式的に示した平面図。
【図３】第一実施例に係るミラーキャビネットであって、袖鏡体を開いている状態を模式的に示した平面図。
【図４】第一実施例に係るミラーキャビネットであって、袖鏡体を開いている状態を模式的に示した平面図。
【図５】本願発明にかかるミラーキャビネットの第二実施例であって、袖鏡体を開いている状態を模式的に示した平面図。
【図６】本願発明にかかるミラーキャビネットの第三実施例であって、袖鏡体を開いている状態を模式的に示した平面図。
【符号の説明】
【００３４】
Ａ      本願発明に係るミラーキャビネット
Ｂ      洗面化粧台
１      キャビネット本体
１１    キャビネット本体の収納空間
２      主鏡体
２１    主鏡体の鏡面
３      袖鏡体
３１    袖鏡体の表側鏡面
３２    袖鏡体の回動軸
３３    袖鏡体の裏側鏡面
４      袖鏡支承体
４１    袖鏡支承体の基回動軸
４２    中間回動軸
４３    補助袖鏡支承体
５      洗面ボール
６      カラン
７      照明器具
α      袖鏡体の袖鏡支承体または補助袖鏡支承体に対する開き角度
【図１】
2009039338.tif 000003
【図２】
2009039338.tif 000004
【図３】
2009039338.tif 000005
【図４】
2009039338.tif 000006
【図５】
2009039338.tif 000007
【図６】
2009039338.tif 000008